(57)【要約】通信システムにおけるメッセージ伝送方法であって、その通信システムは回線交換サービスを提供する第１ネットワークと、パケット交換サービスを提供する第２ネットワークと、第１及び第２ネットワークをサポートする少なくとも１つの移動局と、を備えている。少なくとも１つのメッセージを伝送する要求が生じると、移動局が第２ネットワークに接続されているかどうかを調べるためにチェックが行なわれる。移動局が第２ネットワークに接続されている場合には、メッセージは第２ネットワークに送信される。第２ネットワークを介するメッセージの伝送に失敗した場合、メッセージは第１ネットワークに送信される。
2004514358.tif 000002
【特許請求の範囲】
【請求項１】
回線交換サービスを提供する第１ネットワークと、パケット交換サービスを提供する第２ネットワークと、第１及び第２ネットワークをサポートする少なくとも１つの移動局と、を備える通信システムにおけるメッセージ伝送方法において、
少なくとも１つのメッセージを伝送する要求に応じて、前記移動局が前記第２ネットワークに接続されているかをチェックするステップと、
前記第２ネットワークに接続されている前記移動局に応じて前記第２ネットワークに前記少なくとも１つのメッセージを送信するステップと、
前記第２ネットワークを介するメッセージ伝送の失敗に応じて前記第１ネットワークに前記少なくとも１つのメッセージを送信するステップと、
を有することを特徴とするメッセージ伝送方法。
【請求項２】
前記第２ネットワークに接続されていない場合前記第１ネットワークを介して前記メッセージを伝送するステップを有することを特徴とする請求項１に記載の方法。
【請求項３】
前記メッセージを前記第１ネットワークに送信する前に前記第２ネットワークのパケット交換サービスを一時中断するステップと、前記第１ネットワーク又は前記移動局の要請で前記メッセージを伝送した後に前記パケット交換サービスの提供を再開するステップと、を有することを特徴とする請求項１又は２に記載の方法。
【請求項４】
前記第１ネットワークはＧＳＭネットワークであり、また前記第２ネットワークはＧＰＲＳネットワークであることを特徴とする請求項１〜３のいずれか一項に記載の方法。
【請求項５】
前記メッセージは、ショートメッセージサービスＳＭＳのテキストベースメッセージ又は画像メッセージであることを特徴とする請求項４に記載の方法。
【請求項６】
前記メッセージが前記第１ネットワークか前記第２ネットワークのいずれを介して伝送されるのかを選択するオプションを前記移動局のユーザーに提供するステップと、そのユーザー選択に従って前記メッセージを伝送するステップと、を有することを特徴とする請求項１〜５のいずれか一項に記載の方法。
【請求項７】
回線交換サービスを提供する第１ネットワークと、パケット交換サービスを提供する第２ネットワークとを介してメッセージを伝送するメッセージ手段（ＳＭＳＭ）を備える移動局において、該メッセージ手段は、
少なくとも１つのメッセージを伝送する要求に応じて、前記移動局が前記第２ネットワークに接続されているかをチェックし、
前記第２ネットワークに接続されている前記移動局に応じて前記第２ネットワークに前記少なくとも１つのメッセージを送信し、かつ
前記第２ネットワークを介するメッセージ伝送の失敗に応じて前記第１ネットワークに前記少なくとも１つのメッセージを送信するように構成されていることを特徴とする移動局。
【請求項８】
前記メッセージ手段は、前記第２ネットワークに接続されていない場合に前記第１ネットワークを介して前記メッセージを伝送するように構成されていることを特徴とする請求項７に記載の移動局。
【請求項９】
前記移動局のユーザーインタフェース（ＵＩ）は、メッセージが前記第１ネットワークか前記第２ネットワークのいずれを介して伝送されるのかを選択するオプションを前記移動局のユーザーに提供するメニューを表示するように構成され、かつ前記メッセージ手段は、そのユーザー選択に従って前記メッセージを伝送するように構成されることを特徴とする請求項７又は８に記載の移動局。
【請求項１０】
前記第１ネットワークはＧＳＭネットワークであり、また前記第２ネットワークはＧＰＲＳネットワークであり、かつ前記メッセージはショートメッセージサービスＳＭＳのショートメッセージであることを特徴とする請求項７〜９のいずれか一項に記載の移動局。
【発明の詳細な説明】
【０００１】
（発明の背景）
本発明はパケット無線ネットワークを備える通信システムにおけるメッセージ伝送に関する。
【０００２】
ＧＳＭシステムでは、ショートメッセージシステムＳＭＳが非常に普及してきている。ショートメッセージはユーザー間のテキストベースのメッセージング又はＷＡＰ（無線アプリケーションプロトコル）のようなアプリケーションデータを伝送するのに使用される。ショートメッセージはショートメッセージサービスセンタ（ＳＭ−ＳＣ）により中継され、そこではショートメッセージが転送され、また配信されなかったメッセージを格納しかつ再送する。ＳＭ−ＳＣは移動局ＭＳへの配信のために任意のネットワークを介してショートメッセージを受信することが出来る。ＳＭ−ＳＣは、受信したショートメッセージをショートメッセージサービス用ゲートウエイ移動交換局（ＳＭＳ−ＧＭＳＣ）に転送して、それがさらに移動局に配信されるようにする。移動局発信のショートメッセージはショートメッセージサービス用網間接続移動交換局（ＳＭＳ−ＩＷＭＳＣ）を介してＳＭ−ＳＣに中継されてさらに配信される。シグナリングチャネルがショートメッセージの送受信に使用され、従って別個のトラフィックチャネルは必要としない。
【０００３】
ショートメッセージサービスは、ＧＳＭシステム用に開発された一般パケット無線サービス（ＧＰＲＳ）にも必要になってきている。ＧＰＲＳはサービングＧＰＲＳサポートノード（ＳＧＳＮ）とゲートウエイＧＰＲＳサポートノード（ＧＧＳＮ）を備えている。ＧＧＳＮはインターネットのようなパケットデータネットワークへのゲートウエイトしての役割を果たす、すなわち外部ネットワークＰＤＮからみてＧＧＳＮはサブネットワークへのルータとしての役割を果たす。ＳＧＳＮはそのサービスエリア内に接続された移動局にサービスを提供し、前記移動局からのデータパケットの送受信と、自身のサービスエリア内の移動局の位置の監視を行なう。ＳＧＳＮへのＭＳの接続は、ＭＳの移動管理コンテキストの形成と呼ばれ、この機能はＧＰＲＳシステムではＧＰＲＳ接続と呼ばれている。ショートメッセージサービスをＧＰＲＳネットワークを介して利用できるようにするため、インタフェースＧｄは、ＳＧＳＮとＳＭＳ−ＧＭＳＣ及びＳＧＳＮとＳＭＳ−ＩＷＭＳＣの間で標準化される。ＧＰＲＳネットワークに接続されたＭＳはインタフェースＧｄを介してＧＰＲＳネットワークによってショートメッセージを送受信できる。アクティブＰＤＰ（パケットデータプロトコル）コンテキストはショートメッセージの送受信には必要でなく、従ってショートメッセージはＧＰＲＳネットワークでは、ＧＰＲＳネットワークのシグナリングを使用して伝送される。ＧＰＲＳネットワークでは、シグナリングはＧＰＲＳトラフィックチャネルの使用に基づいている。
【０００４】
しかしながら、問題はインタフェースＧｄがＧＰＲＳネットワークでは必須でなく、従ってＧＰＲＳネットワークはショートメッセージの伝送をサポートする必要はないということである。インタフェースＧｓがＳＧＳＮと移動交換局（ＭＳＣ／ＶＬＲ）の間に存在する場合、移動局で終端されるショートメッセージはＭＳＣ／ＶＬＲからＳＧＳＮへ、さらにＭＳに中継される。ＧＰＲＳ標準は、ＧＰＲＳに接続されるがＩＭＳＩ接続でない移動局はＧＰＲＳチャネルを介してショートメッセージを伝送しなければならないと規定している。これは問題を生じるが、それはＧＰＲＳネットワークを介する移動局発信のショートメッセージの伝送をＧＰＲＳネットワークがサポートするかどうかを移動局は知らないからである。Ｇｄインタフェースが存在しないか、あるいはＳＭＳ−ＩＷＭＳＣのインタフェースがＧＰＲＳネットワークからのショートメッセージをサポートするように更新されていなければ、ＧＰＲＳネットワークを介するＭＳからのショートメッセージの伝送は失敗する。
【０００５】
（発明の簡単な説明）
本発明の目的は上記問題を回避するような方法を実現する方法及び装置を提供することである。本発明の目的は独立請求項に記載されたことを特徴とする方法と移動局で達成される。本発明の好適実施例は従属請求項に開示されている。
【０００６】
本発明は、パケット交換サービスを提供する第２ネットワークを介するメッセージの伝送が失敗した場合、回線交換サービスを提供する第１ネットワークを介してメッセージを伝送する移動局に基づいている。
【０００７】
本発明の方法とシステムは、パケット交換ネットワークに送信予定のメッセージの伝送が、パケット交換ネットワークを介するショートメッセージの伝送をサポートしないシステムにおいても構成可能であるという利点を提供する。この解決策のおかげで、ネットワークに変更の必要はないが、代わりに移動局は回線交換ネットワークへの送信を処理する。
【０００８】
本発明の好適実施例により、移動局がパケット交換サービスを提供する第２ネットワークに接続されない場合、移動局は回線交換サービスを提供する第１ネットワークを介してメッセージを伝送する。第１ネットワークへのメッセージ伝送は自動的に行なうことができ、これにより、エラーメッセージとユーザーの介入なしにメッセージを伝送できる。第２のパケット交換ネットワークを介して常にメッセージを伝送する目的は、典型的にはネットワークリソースのさらなる効率的使用をもたらす。本発明の好適実施例により、第１ネットワークはＧＳＭネットワークであり、第２ネットワークはＧＰＲＳネットワークである。ＧＳＭネットワークを介するメッセージ伝送は典型的にはＧＰＲＳネットワークサービスの一時的中断を必要とする。ＧＰＲＳネットワークを介して常にメッセージを伝送する目的は、その一時的中断により生じるデータ伝送の中断及び無線リソースを消費するシグナリングを回避することである。以下に添付図面を参照して、好適実施例に関して本発明をさらに詳細に説明する。
【０００９】
（発明の詳細な説明）
本発明は、移動局がパケット交換ネットワークと回線交換ネットワークを介してメッセージを伝送できる任意の無線通信システムに適用可能である。以下において、本発明の好適実施例によるショートメッセージ伝送をＧＳＭ／ＧＰＲＳシステムに関して説明する。
【００１０】
図１は、第１ネットワークＮＷ１が回線交換サービスを提供するＧＳＭネットワークであり、第２ネットワークＮＷ２がパケット交換サービスを提供するＧＰＲＳネットワークである無線通信システムを示す。別のネットワークＰＳＴＮ（公衆交換電話網）及びＩＳＤＮ（サービス総合ディジタル網）へのＧＳＭネットワークの回線交換サービスは接続設定と正しいアドレスへの呼のルーティングを処理する移動交換局ＭＳＣ／ＶＬＲにより提供される。移動電話加入者に関する情報を含む２つのデータベースがここでは補助として使用される。すなわち、それらは移動電話ネットワークの全ての加入者とその加入者が利用するサービスに関する情報を含むホーム位置レジスタ（ＨＬＲ）及び所定の移動交換局ＭＳＣ／ＶＬＲのエリアを訪れる移動局に関する情報を含むビジター位置レジスタ（ＶＬＲ）である。ＧＳＭシステムとＧＳＭネットワークでのショートメッセージ伝送のさらに詳細な説明は、ＥＴＳＩ／ＧＳＭ仕様書と「移動通信用ＧＳＭシステム」（‘Ｔｈｅ ＧＳＭ ｓｙｓｔｅｍ ｆｏｒ Ｍｏｂｉｌｅ Ｃｏｍｍｕｎｉｃａｔｉｏｎ’）， Ｍ． Ｍｏｕｌｙ及び Ｍ． Ｐａｕｔｅｔ、１９９２年フランス、ＩＳＢＮ：２−９５７１９０−０７−７に与えられている。
【００１１】
前述のように、ＧＰＲＳネットワークＮＷ２は１つ以上の動作しているノードＳＧＳＮとゲートウエイノードＧＧＳＮとを備えている。回線交換ＧＳＭネットワーク（ＭＳＣ／ＶＬＲ）とパケット交換ＧＰＲＳネットワーク（ＳＧＳＮ，ＧＧＳＮ）のいずれも同じ基地局システム（ＢＳＳ）を利用する。ＢＳＳは、無線経路により移動局（ＭＳ）と通信する無線基地局（ＢＴＳ）と、基地局制御局（ＢＳＣ）であって、それに接続され基地局に利用可能な無線周波数とチャネルを制御する基地局制御局とを備えている。ＭＳＣ／ＶＬＲとＳＧＳＮはいずれもＨＬＲ、ショートメッセージを中継するＳＭＳ−ＩＷＭＳＣ及びＳＭＳ−ＧＭＳＣを使用することができる。ＳＭＳ−ＩＷＭＳＣ及びＳＭＳ−ＧＭＳＣはショートメッセージの格納と転送を処理するショートメッセージセンタ（ＳＭ−ＳＣ）に接続される。
【００１２】
図２は本発明の好適実施例による移動局ＭＳの構成を示す。ＭＳはアンテナを介してＢＴＳと通信する送受信機（ＴＸ／ＲＸ）を備えている。ユーザーインタフェース（ＵＩ）手段は、典型的にはディスプレイ、キーボード、マイクロフォン及びスピーカから成る。ＭＳはまた、例えばショートメッセージを格納できる加入者識別モジュール（ＳＩＭ）を備えている。ＭＳは、中央処理ユニット（ＣＰＵ）による実行のためのコードを格納できるメモリ（ＭＥＭ）を備えている。ＣＰＵは、ＭＥＭ、Ｔｘ／Ｒｘ、ＳＩＭ及びＵＩを使用して、ＧＳＭサービスを提供するＧＳＭ手段（ＧＳＭＭ）、ショートメッセージの送受信を提供するショートメッセージ手段（ＳＭＳＭ）及びＧＰＲＳサービスを提供するＧＰＲＳ手段（ＧＰＲＳＭ）を実現する。ＧＳＭＭ，　ＳＭＳＭ及びＧＰＲＳＭは既存のプロセッサとメモリを用いてソフトウエアにより実現できる。集積回路を使用してもよい。
【００１３】
図３は本発明の好適実施例によるショートメッセージの伝送を示す。ＭＳのユーザーがショートメッセージを打ち込みその伝送を起動する場合、あるいはＷＡＰのようなＭＳアプリケーションからショートメッセージとして伝送のためにデータが到着した場合に、ショートメッセージを伝送する要求が生じる（３００）。例えば、チャットアプリケーション、スマートメッセージング及びＳＩＭアプリケーションツールキットがショートメッセージを利用する場合がある。要求（３００）に応答して、ＭＳがパケット無線ネットワークＧＰＲＳに接続されているかどうかを調べるためにチェックが行なわれる（３０１）。これは、ＧＰＲＳＭからＭＳの１つ以上の移動管理コンテキスト（ＭＭコンテキスト）の状態（ＭＭ状態）をチェックするＳＭＳＭチェックにより実現される。少なくとも１つのＭＭコンテキストがレディ（ＲＥＡＤＹ）又はスタンバイ（ＳＴＡＮＤＢＹ）状態にある場合は、ＭＳはＧＰＲＳネットワークに接続される。ＭＳがＧＰＲＳネットワークに接続されない場合、ＳＭＳＭは、回線交換サービスを提供するＧＳＭネットワークにメッセージを送信する（３０２）ためにＧＳＳＭを使用するように構成される。ＭＳがＧＰＲＳネットワークに接続される場合、ＳＭＳＭはパケット交換サービスを提供するＧＰＲＳネットワークにメッセージを送信する（３０３）ためにＧＰＲＳＭを使用するように構成される。
【００１４】
ＳＭＳＭは、ショートメッセージ伝送が成功したかどうかをチェックする（３０４）ように構成される。もしそうなら、ＳＭＳＭは新しいメッセージを送信する準備完了である（３０５）。ショートメッセージ伝送は、例えばＳＧＳＮまたはＳＭＳ−ＩＷＭＳＣがインタフェースＧｄをサポートしないという理由で失敗しているかもしれない。この場合、エラーメッセージがＭＳに返送される。ショートメッセージ伝送が失敗した場合、ＳＭＳＭ及びＧＰＲＳＭはＧＰＲＳネットワークからのパケット交換ＧＰＲＳサービスを一時中断する（ＧＰＲＳ一時中断）（３０６）ように構成される。ＳＭＳＭは、ショートメッセージをＧＳＭネットワークに送信するためにＧＳＭＭを使用するように構成される。ショートメッセージ（あるいはいくつかのショートメッセージ）がいったん伝送されるとパケット交換ＧＰＲＳサービスの提供を再開する（３０８）ことができる。
【００１５】
ＧＰＲＳサービスの一時中断（３０６）はすくなくともＢクラスの移動局に必要である。一時中断（３０６）は、エラーを受信し、またＧＳＭネットワークのＭＳＣ／ＶＬＲを介するＧＳＭシグナリングとしてショートメッセージを伝送するつもりの場合にＳＭＳＭがＧＰＲＳＭからのサービスの一時中断を要求するように構成される。ＭＳは一時中断メッセージ（ＲＲ一時中断）をＢＳＣに送信する。ＢＳＣは、ＭＳの一時論理リンク識別情報（ＴＬＬＩ）に応じてＧＰＲＳトラフィックを一時中断することができる。ＢＳＣはＳＧＳＮに一時中断メッセージを送信し、またＳＧＳＮは確認応答メッセージ（一時中断Ａｃｋ）を送信する。
【００１６】
ＭＳは回線交換リソースをもはや必要としないとＢＳＣが判定する場合、それはＳＧＳＮに再開要求（再開）を送信する。ＳＧＳＮは再開要求に対して確認応答（再開Ａｃｋ）を送信する。ＢＳＣは無線チャネル解放要求（ＲＲチャネル解放）をＭＳに送信し、この要求に基づいて、ＭＳにより使用される可能性のある無線チャネルが解放される。そのあと、ＭＳはＧＰＲＳネットワークを介してデータを送受信することができる（３０８）。再開要求（再開）又は無線チャネル解放要求（ＲＲチャネル解放）が失敗すれば、ＭＳは、ルーティングエリア更新要求をＳＧＳＮに送信することによりＧＰＲＳサービスを再開することができる。
【００１７】
本発明の好適実施例により、ＭＳのユーザーはＧＳＭネットワークとＧＰＲＳネットワークのどちらを介してメッセージを伝送するかを選択するオプションが与えられる。ＵＩは、例えば、ａ）ショートメッセージを常にＧＳＭネットワークを介して伝送する、又は、ｂ）処理は図３に従う、すなわちその試みはショートメッセージをＧＰＲＳネットワークを介して伝送する、という設定のいずれかをユーザーが行なうことができるメニューを表示することができる。ＳＭＳＭはユーザーによって選択された通りにメッセージを送信する。ＧＰＲＳネットワークを介してショートメッセージを伝送するつもりの場合は少なくとも処理は図３に従う。しかし、ＧＳＭネットワークを介して伝送するつもりのショートメッセージをＧＰＲＳネットワークに伝送しようと試みることは可能である。
【００１８】
伝送されるべきメッセージはショートメッセージサービスＳＭＳのショートメッセージである必要はない。本発明は画像メッセージやマルティメディア情報から成るメッセージの伝送のような任意のメッセージサービスに適用可能である。本発明によるメッセージ伝送は、例えば、ＧＳＭシステムのコアネットワークに基づきかつ３ＧＰＰ（第３世代パートナーシッププロジェクト）により標準化されるＵＭＴＳ（ユニバーサル移動通信システム），あるいは３ＧＰＰ２により標準化される第３世代システムのような、ＧＳＭ／ＧＰＲＳ以外のシステムにも適用可能である。ショートメッセージサービスの他に、マルティメディアメッセージングサービスがＵＭＴＳ用に開発されつつある。
【００１９】
技術が進展するにつれ、本発明の基本概念はさまざまなやり方で実現できることは当業者には明らかである。従って、本発明とその実施例は前述の例に制限されず、請求項の範囲内で変更可能である。
【図面の簡単な説明】
【図１】
図１はショートメッセージサービスをサポートするＧＳＭ／ＧＰＲＳシステムを示す図である。
【図２】
図２は本発明の好適実施例による移動局の構成を示す図である。
【図３】
図３は本発明の好適実施例によるショートメッセージ伝送における移動局の動作のフローチャートを示す図である。
【図３】
2004514358.tif 000003
【国際公開パンフレット】
2004514358.tif 000004
2004514358.tif 000005
2004514358.tif 000006
2004514358.tif 000007
2004514358.tif 000008
2004514358.tif 000009
2004514358.tif 000010
2004514358.tif 000011
2004514358.tif 000012
2004514358.tif 000013
2004514358.tif 000014
2004514358.tif 000015
【国際調査報告】
2004514358.tif 000016
2004514358.tif 000017